(57)【要約】【課題】床パンや浴槽の製造誤差や施工誤差等があった場合にも、排水筒とトラップ蓋の接続部分をパッキンにより確実に止水することができ、水漏れの生じ難い排水構造を提供することを課題とする。【解決手段】浴槽１に取り付けられる排水筒２と、床パン３に取り付けられるトラップ４と、トラップ４に取り付けられるトラップ蓋５を備える。排水筒２の内周面に雌ねじ２８が形成されると共に、排水筒２の下端部の外周にフランジ２６が突設される。トラップ蓋５に上方に突出し且つ外周に雄ねじ２３が形成された接続筒部２２が形成される。排水筒２が上下動可能で且つ回動可能に浴槽１に取り付けられる。トラップ蓋５が周囲のＯリング２１を介してトラップ４に上下動自在に取り付けられる。排水筒２が螺合により接続筒部２２に接続される。フランジ２６とトラップ蓋５との間でパッキン３６が圧縮される。【選択図】        図１
2010077678.tif 000002
【特許請求の範囲】
【請求項１】
浴槽の底部に取り付けられて下方に突出する排水筒と、浴槽を受ける床パンの底部に取り付けられる上方に開口したトラップと、該トラップに取り付けられてトラップの上開口を塞ぐトラップ蓋を備え、排水筒の内周面に雌ねじが形成されると共に、排水筒の下端部の外周にフランジが突設され、トラップ蓋に上方に突出し且つ外周に雄ねじが形成されたトラップ内に連通する接続筒部が形成され、
排水筒が上下動可能で且つ回動可能に浴槽に取り付けられ、トラップ蓋が周囲のＯリングを介してトラップに取り付けられると共にトラップに対して上下動自在とされ、前記雌ねじが雄ねじに螺合されることにより排水筒が接続筒部に接続され、フランジとトラップ蓋との間でパッキンが圧縮され、該パッキンで排水筒と接続筒部の接続部分が止水されることを特徴とする排水構造。
【発明の詳細な説明】
【技術分野】
【０００１】
本発明は、浴槽に設けた排水管と、床パンに設けたトラップを通じて浴槽内の水を排出する排水構造に関する。
【背景技術】
【０００２】
図３（ｂ）に示す従来の排水構造では、浴槽１の底部に取り付けられる排水筒２と、床パン３の底部に取り付けられるトラップ４と、該トラップ４にパッキン４０を介して水密的に取り付けられてトラップ４の上開口を塞ぐトラップ蓋５とが利用される。
【０００３】
前記浴槽１を床パン３上に設置する場合、予め図３（ａ）に示すように、床パン３に取り付けられたトラップ４にトラップ蓋５が取り付けられると共に浴槽１に排水筒２が取り付けられる。そして、この後、矢印に示すように浴槽１を下方に移動して床パン３上に設置することにより、排水筒２の下端部がスポンジ状のパッキン３６を介してトラップ蓋５上に載置され、これによって排水筒２がトラップ蓋５に形成された孔を介してトラップ４内に連通する。
【０００４】
ところで、前記排水構造では、排水筒２とトラップ蓋５の間を確実に止水するために、パッキン３６を一定の圧縮率で圧縮する必要がある。しかし、前記排水構造では、床パン３や浴槽１の製造誤差や施工誤差等がわずかながらも生じるため、床パン３とこれに設置された浴槽１との間隔を一定に保つことが困難である。通常、床パン３上に浴槽１を設置した時の排水筒２とトラップ蓋５の接触による破損等を防止するため、前記床パン３と浴槽１の間隔は長めに設定される。このため、パッキン３６が排水筒２とトラップ蓋５により十分に圧縮されない状態となり、排水筒２とトラップ蓋５の間から水漏れが生じる恐れがある。
【０００５】
また、特許文献１のように、排水筒及びトラップ蓋が取り付けられた浴槽が、トラップを取り付けた床パン上に設置されることで、トラップにトラップ蓋が係止される排水構造も知られている。しかし、この排水構造では、トラップとトラップ蓋との間が止水されておらず、また、床パンと浴槽との間隔が一定ではない場合にトラップ蓋をトラップに係止できない恐れがある。
【特許文献１】特開平２００６−２９９７２０号公報（図１）
【発明の開示】
【発明が解決しようとする課題】
【０００６】
本発明は上記従来の問題点に鑑みてなされたものであって、床パンや浴槽の製造誤差や施工誤差等があった場合にも、排水筒とトラップ蓋の接続部分をパッキンにより確実に止水することができ、水漏れの生じ難い排水構造を提供することを課題とする。
【課題を解決するための手段】
【０００７】
上記課題を解決するために請求項１に係る排水構造は、以下の構成を有している。
【０００８】
浴槽１の底部１ａに取り付けられて下方に突出する排水筒２と、浴槽１を受ける床パン３の底部３ａに取り付けられる上方に開口したトラップ４と、該トラップ４に取り付けられてトラップ４の上開口を塞ぐトラップ蓋５を備える。排水筒２の内周面に雌ねじ２８が形成されると共に、排水筒２の下端部の外周にフランジ２６が突設される。トラップ蓋５に上方に突出し且つ外周に雄ねじ２３が形成されたトラップ４内に連通する接続筒部２２が形成される。排水筒２が上下動可能で且つ回動可能に浴槽１に取り付けられる。トラップ蓋５が周囲のＯリング２１を介してトラップ４に取り付けられると共にトラップ４に対して上下動自在とされる。前記雌ねじ２８が雄ねじ２３に螺合されることにより排水筒２が接続筒部２２に接続される。フランジ２６とトラップ蓋５との間でパッキン３６が圧縮され、該パッキン３６で排水筒２と接続筒部２２の接続部分が止水される。
【発明の効果】
【０００９】
請求項１に係る発明では、トラップ蓋がトラップに対して上下動自在に取り付けられるため、排水筒を接続筒部に接続する際に、排水筒の雌ねじの接続筒部の雄ねじに対する螺合深さを調節することで、床パンや浴槽の製造誤差や施工誤差等を吸収でき、フランジとトラップ蓋でパッキンを所定の圧縮率で圧縮することができる。このため、排水筒とトラップ蓋の接続部分をパッキンにより確実に止水することができ、水漏れの生じ難い排水構造となる。
【発明を実施するための最良の形態】
【００１０】
以下、本発明の実施形態の一例を添付図面に基づいて説明する。
【００１１】
図１及び図２に示す一例の排水構造では、浴槽１の底部１ａに下方に突出した状態で取り付けられる排水筒２と、浴槽１を受ける床パン３の底部３ａに取り付けられる上方に開口したトラップ４と、該トラップ４に取り付けられてトラップ４の上開口を塞ぐトラップ蓋５とが利用される。
【００１２】
図１（ｂ）に示すように、床パン３の底部３ａにはトラップ取付口８が形成され、該トラップ取付口８の周縁部には断面コ字状のシール材９が嵌め込まれている。
【００１３】
トラップ４は、床パン３の下面側に配置されるトラップ本体１０と、該トラップ本体１０に取り付けられる挟持用筒体１１とで構成されている。
【００１４】
トラップ本体１０は上方に開口し、その上開口部１６の上端部の外周には挟持用鍔部２０が一体に突出形成されている。また、上開口部１６の内周面には雌ねじ１５が形成されている。
【００１５】
トラップ本体１０の内部には上開口部１６に連通する水溜め部１２が形成されている。水溜め部１２は、図２に示すように、洗い場を構成する床パン１３の底部に設けられた洗い場側の排水トラップ１４に連通している。該排水トラップ１４によりトラップ本体１０の水溜め部１２内に水位が維持された状態で排水が溜められ、封水される。なお、洗い場を構成する床パン１３と浴槽１が設置される床パン３は一体に形成されるものであっても良いし、別体であっても良い。
【００１６】
挟持用筒体１１の下部の外周面には雄ねじ１９が形成されている。挟持用筒体１１の上端部の外周には外鍔部１７が一体に突出形成される。また、挟持用筒体１１の下部の内周には内鍔部１８が一体に突出形成されており、該内鍔部１８の中央の孔によりトラップ４の上開口が構成される。
【００１７】
挟持用筒体１１は、床パン３の上側からトラップ取付口８を介してトラップ本体１０の上開口部１６より挿入され、前記雄ねじ１９が雌ねじ１５に螺合されることで、トラップ本体１０に接続される。また、これにより、トラップ本体１０の挟持用鍔部２０と挟持用筒体１１の外鍔部１７とでシール材９を介してトラップ取付口８の周縁部が挟持され、トラップ４が水密的に床パン３に取り付けられる。また、トラップ４上には挟持用筒体１１によって構成される上方に開口する凹所が形成される。
【００１８】
トラップ蓋５は周囲に取り付けられたＯリング２１を介して前記凹所（挟持用筒体１１の内側）に嵌め込まれ、該トラップ蓋５は凹所内を上下動できるようになっている。該トラップ蓋５の上下動の範囲の下限はトラップ蓋５が下方の内鍔部１８に当接する位置である。
【００１９】
トラップ蓋５の上面部５ａには上下に開口する接続筒部２２が一体に形成され、該接続筒部２２は上面部５ａの偏心位置に位置している。接続筒部２２の上面部５ａよりも下方に突出した下部２２ａは内鍔部１８の中央に形成された孔に挿通され、該接続筒部２２の内部がトラップ４の水溜め部１２に連通する。接続筒部２２の上面部５ａよりも上方に突出した上部２２ｂの外周面には雄ねじ２３が形成されている。
【００２０】
また、トラップ蓋５の上面部５ａ上には接続筒部２２を囲むリング状で且つスポンジ状のパッキン３６が配置されている。
【００２１】
浴槽１の底部には排水筒取付口３３が形成され、該排水筒取付口３３の周縁部上にはパッキン３４が載置されている。
【００２２】
排水筒２は、上下に開口する筒状体２５と、筒状体２５を囲むリング状の挟持体２４と、筒状体２５の下端部に取り付けられるリング状のフランジ２６とで構成されている。
【００２３】
筒状体２５の上端部の外周には上フランジ部２７が一体に突出形成され、該上フランジ部２７よりも下方の部分が浴槽１内から排水筒取付口３３に回転可能に挿入される。
【００２４】
筒状体２５の浴槽１の底部１ａよりも下方に突出する突出部２５ａの内周面には雌ねじ２８が形成されている。突出部２５ａの上部及び下端部の夫々の外周面には雄ねじ２９、３０が形成されている。
【００２５】
筒状体２５の突出部２５ａは挟持体２４の中央孔に挿入され、該挟持体２４は筒状体２５に対して上下動可能である。また、挟持体２４の内周面には雌ねじ３１が形成されている。
【００２６】
フランジ２６の内周面には雌ねじ３２が形成されている。雌ねじ３２を突出部２５ａの下の雄ねじ３０に螺合することにより、フランジ２６は筒状体２５に取り付けられ、該フランジ２６により挟持体２４の抜け止めがなされる。
【００２７】
筒状体２５は雌ねじ２８が接続筒部２２の雄ねじ２３に螺合されることにより接続筒部２２に接続される。これにより、筒状体２５に取り付けられたフランジ２６とトラップ蓋５の上面部５ａとでパッキン３６が上下方向に圧縮され、筒状体２５と接続筒部２２の接続部分が止水される。
【００２８】
また、前記筒状体２５に対して上下動可能とされた挟持体２４は、雌ねじ３１が突出部２５ａの上の雄ねじ２９に螺合されることにより筒状体２５に固定される。これにより、筒状体２５の上フランジ部２７と挟持体２４とで、パッキン３４や図中３５に示す挟持体２４上に配されたＯリング３５を介して、排水筒取付口３３の周縁部が挟持され、排水筒２が水密的に浴槽１に取り付けられる。
【００２９】
本例の排水構造にあっては、浴槽１内が、筒状体２５の内部及び接続筒部２２の内部を介してトラップ４内に連通するので、浴槽１内の水を筒状体２５及び接続筒部２２を介して排出できる。
【００３０】
また、浴槽１と排水筒２の接続部分、排水筒２とトラップ蓋５の接続部分、トラップ蓋５とトラップ４の接続部分、及びトラップ４と床パン３の接続部分は夫々、パッキン３４、Ｏリング３５、パッキン３６、Ｏリング２１、シール材９により止水され、水漏れの生じ難い構造となる。
【００３１】
次に前記浴槽１の床パン３への設置方法の一例について説明する。
【００３２】
浴槽１を床パン３に設置する場合は、図１（ａ）に示すように予め床パン３のトラップ取付口８にトラップ４を取り付けると共に該トラップ４にトラップ蓋５を取り付けておく。また、排水筒２は、筒状体２５が排水筒取付口３３に挿入されると共に筒状体２５にフランジ２６が取り付けられ、且つ、上フランジ部２７と挟持体２４で排水筒取付口３３の周縁部を挟持する前の状態、つまり、浴槽１の排水筒取付口３３に対して上下動及び回動自在な状態で取り付けておく。
【００３３】
次に、前記浴槽１の図示しない脚部を床パン３上のトラップ４とは別位置に設置し、トラップ蓋５の上側に排水筒２を配置する。続いて、排水筒２を回動して筒状体２５の雌ねじ２８を接続筒部２２の雄ねじ２３に螺合する。この螺合は、上フランジ部２７が排水筒取付口３３の周縁部上に載置したパッキン３４に当接し、且つ、パッキン３６がフランジ２６とトラップ蓋５の上面部５ａとで一定の圧縮率で圧縮されるまで進められる。
【００３４】
ここで、前記筒状体２５の接続筒部２２への接続の際には、床パン３や浴槽１の製造誤差や施工誤差等により、トラップ蓋５がトラップ４に対して所定位置よりも下方に位置することがある。しかし、このような場合には、前記筒状体２５の接続筒部２２に対する螺合を進めることにより、トラップ蓋５が挟持用筒体１１内を挟持用筒体１１との間にＯリング２１を介した状態のまま上方に移動させ、これにより前記誤差を吸収することができる。
【００３５】
そして、上記の後、挟持体２４を筒状体２５の雄ねじ２９に螺合し、該挟持体２４と上フランジ部２７とでパッキン３４及びＯリング３５を介して排水筒取付口３３の周縁部を挟持することにより、図１（ｂ）に示す構造となる。
【００３６】
以上説明した本例の排水構造にあっては、トラップ蓋５が周囲のＯリング２１を介してトラップ４に取り付けられると共にトラップ４に対して上下動自在となる。このため、前述のように排水筒２を接続筒部２２に接続する際に、雄ねじ２３への雌ねじ２８の螺合深さを調節することで、床パン３や浴槽１の製造誤差や施工誤差等があったとしても、パッキン３６を所定の圧縮率で圧縮することができる。したがって、排水筒２とトラップ蓋５の接続部分をパッキン３６により確実に止水することができ、水漏れの生じ難い排水構造となる。
【図面の簡単な説明】
【００３７】
【図１】本発明の実施形態の一例の排水構造を示し、（ａ）は浴槽を床パンに設置する前の断面図であり、（ｂ）は浴槽を床パンに設置した後の断面図である。
【図２】同上のトラップ、トラップ蓋、洗い場側の排水トラップ等を示す斜視図である。
【図３】従来の排水構造を示し、（ａ）は浴槽を床パンに設置する前の断面図であり、（ｂ）は浴槽を床パンに設置した後の断面図である。
【符号の説明】
【００３８】
１  浴槽
２  排水筒
３  床パン
４  トラップ
５  トラップ蓋
２１  Ｏリング
２２  接続筒部
２３  雄ねじ
２６  フランジ
２８  雌ねじ
３６  パッキン
【図１】
2010077678.tif 000003
【図２】
2010077678.tif 000004
【図３】
2010077678.tif 000005